(57)【要約】【課題】  表面に吸着剤が塗布された吸着熱交換器（3，5）を用いて空気の調湿を行う調湿装置において、潜熱能力の制御範囲を広げられるようにする。【解決手段】  第１，第２吸着熱交換器（3，5）と、両吸着熱交換器（3，5）に接続された冷媒回路とを備え、第１空気が第１吸着熱交換器（3）を流れるとともに第２空気が第２吸着熱交換器（5）を流れる第１動作と、第１空気が第２吸着熱交換器（5）を流れるとともに第２空気が第１吸着熱交換器（3）を流れる第２動作とを空気通路を切り換えて行う調湿装置において、第１，第２吸着熱交換器（3，5）を流れる空気の流速分布を、開閉ダンパ（61，62）によって第１動作時と第２動作時で異ならせるようにする。【選択図】  図５
2005283079.tif 000002
【特許請求の範囲】
【請求項１】
表面に吸着剤が担持された第１吸着熱交換器（3）及び第２吸着熱交換器（5）と、両吸着熱交換器（3，5）に接続された冷媒回路（1）と、第１空気の流れる第１空気通路と、第２空気の流れる第２空気通路とを備え、
さらに、第１空気が第１吸着熱交換器（3）を流れるとともに第２空気が第２吸着熱交換器（5）を流れる第１動作と、第１空気が第２吸着熱交換器（5）を流れるとともに第２空気が第１吸着熱交換器（3）を流れる第２動作とを、両空気通路の流路を切り換えて行う流路切換手段（60）を備えた調湿装置であって、
第１吸着熱交換器（3）及び第２吸着熱交換器（5）を流れる空気の流速分布を、第１動作時と第２動作時で異ならせる流速分布調整手段（70）を備えていることを特徴とする調湿装置。
【請求項２】
請求項１に記載の調湿装置において、
流速分布調整手段（70）は、第１吸着熱交換器（3）及び第２吸着熱交換器（5）が凝縮器となるときに、両吸着熱交換器（3，5）が蒸発器となるときと比較して、該吸着熱交換器（3，5）の一部で空気の流速が低下するように構成されていることを特徴とする調湿装置。
【請求項３】
請求項１に記載の調湿装置において、
流速分布調整手段（70）は、第１吸着熱交換器（3）及び第２吸着熱交換器（5）が蒸発器となるときに、両吸着熱交換器（3，5）が凝縮器となるときと比較して、該吸着熱交換器（3，5）の一部で空気の流速が低下するように構成されていることを特徴とする調湿装置。
【請求項４】
請求項１から３のいずれか１に記載の調湿装置において、
流速分布調整手段（70）は、第１吸着熱交換器（3）及び第２吸着熱交換器（5）に対して空気流通方向の上流側に配置されていることを特徴とする調湿装置。
【請求項５】
請求項１から３のいずれか１に記載の調湿装置において、
流速分布調整手段（70）は、第１吸着熱交換器（3）及び第２吸着熱交換器（5）に対して空気流通方向の下流側に配置されていることを特徴とする調湿装置。
【請求項６】
請求項１から５のいずれか１に記載の調湿装置において、
第１吸着熱交換器（3）と第２吸着熱交換器（5）は、互いに同一の大きさに形成されていることを特徴とする調湿装置。
【請求項７】
請求項１から６のいずれか１に記載の調湿装置において、
流路切換手段（60）が、第１空気通路の流路と第２空気通路の流路を切り換える複数の開閉ダンパ（61〜68）により構成されるとともに、所定の開閉ダンパ（61，62）により流速分布調整手段（70）が構成され、
上記開閉ダンパ（61，62）は、吸着熱交換器（3，5）に空気を流す状態で、該ダンパ（61，62）の一部が吸着熱交換器（3，5）を流れる空気の邪魔板となるように構成されていることを特徴とする調湿装置。
【請求項８】
請求項１から６のいずれか１に記載の調湿装置において、
流路切換手段（60）が、第１空気通路の流路と第２空気通路の流路を切り換える複数の開閉ダンパ（61〜68）により構成され、
さらに、上記開閉ダンパ（61〜68）を開いて吸着熱交換器（3，5）に空気を流す状態で、吸着熱交換器（3，5）を流れる空気の邪魔板となる流速分布調整ダンパ（71）（72）を備え、該流速分布調整ダンパ（71）（72）により流速分布調整手段（70）が構成されていることを特徴とする調湿装置。
【発明の詳細な説明】
【技術分野】
【０００１】
本発明は、空気の除湿や加湿を行う調湿装置に関し、特に、表面に吸着剤が担持された吸着熱交換器を用いて空気の調湿を行う調湿装置に関するものである。
【背景技術】
【０００２】
従来より、吸着熱交換器を用いて空気の除湿や加湿を行う調湿装置が知られている（例えば、特許文献１参照）。この調湿装置は、上記吸着熱交換器を２つ備え、それぞれに、冷却媒体と加熱媒体を切り換えて流せるように構成されている。また、各吸着熱交換器には、被処理空気が流通するようになっている。
【０００３】
ここで、吸着熱交換器の一方を第１吸着熱交換器、他方を第２吸着熱交換器とし、各吸着熱交換器を流れる空気を第１空気（被処理空気）と第２空気として、この調湿装置の動作を説明する。
【０００４】
この調湿装置では、第１吸着熱交換器の吸着剤で被処理空気を除湿しながら第２吸着熱交換器の吸着剤を再生する第１動作と、第２吸着熱交換器の吸着剤で被処理空気を除湿しながら第１吸着熱交換器の吸着剤を再生する第２動作とを交互に切り換えて、いわゆるバッチ式の運転を行う。具体的に、第１動作時には、第１吸着熱交換器に冷却媒体を流しながら第１空気の水分を吸着剤で吸着するとともに、第２吸着熱交換器に加熱媒体を流しながら第２空気に吸着剤の水分を放出して該吸着剤を再生する。また、第２動作時には、第２吸着熱交換器に冷却媒体を流しながら第１空気の水分を吸着剤で吸着するとともに、第１吸着熱交換器に加熱媒体を流しながら第２空気に吸着剤の水分を放出して該吸着剤を再生する。
【０００５】
そして、第１動作と第２動作を切り換えながら、吸着剤によって減湿された第１空気を室内に供給することで、室内を除湿することができる。また、逆に第１空気に上記吸着熱交換器の吸着剤から水分を与えて室内に供給すると、室内を加湿することも可能である。
【０００６】
上記構成の調湿装置では、一般に、被処理空気である第１空気には室外空気が用いられ、この室外空気の湿度を調整して室内に供給するようにしている。また、第２空気には一般に室内空気が用いられていて、除湿運転時にはこの室内空気で吸着熱交換器の吸着剤を再生した後、室外に放出する一方、加湿運転時にはこの室内空気から吸着熱交換器の吸着剤に水分を与えた後、室外に放出するようにしている。
【０００７】
このように、この種の調湿装置では、一般に室内空気と室外空気とを入れ換える換気方式が採用されている。また、この調湿装置では被処理空気を第１吸着熱交換器と第２吸着熱交換器に交互に流す構成にしているため、両吸着熱交換器には、通常は互いに同じ大きさのもの（同じ熱交換面積を有するもの）が用いられている。
【特許文献１】特開平０７−２６５６４９号公報
【発明の開示】
【発明が解決しようとする課題】
【０００８】
ところで、上記特許文献１の調湿装置においては、冷却媒体に冷水を用い、加熱媒体に温水を用いるようにしているが、上記吸着熱交換器を冷媒回路に接続して、冷却側（吸着側）の吸着熱交換器を冷媒回路の蒸発器に、加熱側（再生側）の吸着熱交換器を冷媒回路の凝縮器にすることも可能である。
【０００９】
一方、一般にこの種の調湿装置では、吸着側の空気と再生側の空気の相対湿度差が大きいほど潜熱能力が高くなるが、上記の調湿装置で相対湿度差を大きくするために再生時の温度（凝縮温度）を上昇させたり、吸着時の温度（蒸発温度）を低下させたりしようとしても、広範囲の制御を行うことが困難であった。
【００１０】
これは、上記構成の調湿装置では、吸着側（冷却側）の吸着熱交換器と再生側（加熱側）の吸着熱交換器の大きさが同じであり、しかも換気機能上の制約から風量バランスを変更することができない構造になっていて、蒸発温度や凝縮温度を圧縮機の能力制御範囲内でしか調整できないためである。
【００１１】
本発明は、このような問題点に鑑みて創案されたものであり、その目的は、吸着熱交換器における蒸発温度や凝縮温度を広範囲で調整できるようにして、潜熱能力の制御範囲を広げられるようにすることである。
【課題を解決するための手段】
【００１２】
本発明は、第１吸着熱交換器（3）及び第２吸着熱交換器（5）を流れる空気の流速分布を、第１動作時と第２動作時で異ならせる流速分布調整手段（70）を設けるようにしたものである。
【００１３】
具体的に、第１の発明は、表面に吸着剤が担持された第１吸着熱交換器（3）及び第２吸着熱交換器（5）と、両吸着熱交換器（3，5）に接続された冷媒回路（1）と、第１空気の流れる第１空気通路と、第２空気の流れる第２空気通路とを備え、さらに、第１空気が第１吸着熱交換器（3）を流れるとともに第２空気が第２吸着熱交換器（5）を流れる第１動作と、第１空気が第２吸着熱交換器（5）を流れるとともに第２空気が第１吸着熱交換器（3）を流れる第２動作とを、両空気通路の流路を切り換えて行う流路切換手段（60）を備えた調湿装置を前提としている。
【００１４】
そして、この調湿装置は、第１吸着熱交換器（3）及び第２吸着熱交換器（5）を流れる空気の流速分布を、第１動作時と第２動作時で異ならせる流速分布調整手段（70）を備えていることを特徴としている。
【００１５】
この第１の発明では、流速分布調整手段（70）により、第１吸着熱交換器（3）及び第２吸着熱交換器（5）を流れる空気の流速分布を、第１動作時と第２動作時で異ならせることができる。こうすることにより、実質的な熱交換面積を調整することで吸着熱交換器（3，5）の能力を変化させることができ、凝縮温度や蒸発温度を圧縮機の能力制御範囲を超えて調整することが可能となる。
【００１６】
第２の発明は、第１の発明の調湿装置において、流速分布調整手段（70）が、第１吸着熱交換器（3）及び第２吸着熱交換器（5）が凝縮器となるときに、両吸着熱交換器（3，5）が蒸発器となるときと比較して、該吸着熱交換器（3，5）の一部で空気の流速が低下するように構成されていることを特徴としている。
【００１７】
この第２の発明のように、第１吸着熱交換器（3）及び第２吸着熱交換器（5）が凝縮器となるときに、両吸着熱交換器（3，5）が蒸発器となるときと比較して、該吸着熱交換器（3，5）の一部で空気の流速が低下するようにすれば、流速の低下した部分において熱交換量が減って、凝縮器が小さくなったのと同じ作用で凝縮温度が上昇する。このことにより、吸着剤からの水分の放出量を増やすことができる。
【００１８】
第３の発明は、第１の発明の調湿装置において、流速分布調整手段（70）が、第１吸着熱交換器（3）及び第２吸着熱交換器（5）が蒸発器となるときに、両吸着熱交換器（3，5）が凝縮器となるときと比較して、該吸着熱交換器（3，5）の一部で空気の流速が低下するように構成されていることを特徴としている。
【００１９】
この第３の発明のように、第１吸着熱交換器（3）及び第２吸着熱交換器（5）が蒸発器となるときに、両吸着熱交換器（3，5）が凝縮器となるときと比較して、該吸着熱交換器（3，5）の一部で空気の流速が低下するようにすれば、流速の低下した部分において熱交換量が減って、蒸発器が小さくなったのと同じ作用で蒸発温度が低下する。このことにより、吸着剤での水分の吸着量を増やすことができる。
【００２０】
第４の発明は、第１から第３のいずれか１の発明の調湿装置において、流速分布調整手段（70）が、第１吸着熱交換器（3）及び第２吸着熱交換器（5）に対して空気流通方向の上流側に配置されていることを特徴としている。
【００２１】
この第４の発明では、第１吸着熱交換器（3）及び第２吸着熱交換器（5）に対して空気流通方向の上流側に配置された流速分布調整手段（70）により、第１吸着熱交換器（3）及び第２吸着熱交換器（5）を流れる空気の流速分布を、第１動作時と第２動作時で異ならせることができ、それによって吸着熱交換器（3，5）の能力を変化させ、凝縮温度や蒸発温度を調整できる。
【００２２】
第５の発明は、第１から第３のいずれか１の発明の調湿装置において、流速分布調整手段（70）が、第１吸着熱交換器（3）及び第２吸着熱交換器（5）に対して空気流通方向の下流側に配置されていることを特徴としている。
【００２３】
この第５の発明では、第１吸着熱交換器（3）及び第２吸着熱交換器（5）に対して空気流通方向の下流側に配置された流速分布調整手段（70）により、第１吸着熱交換器（3）及び第２吸着熱交換器（5）を流れる空気の流速分布を、第１動作時と第２動作時で異ならせることができ、それによって吸着熱交換器（3，5）の能力を変化させ、凝縮温度や蒸発温度を調整できる。
【００２４】
第６の発明は、第１から第５のいずれか１の発明の調湿装置において、第１吸着熱交換器（3）と第２吸着熱交換器（5）が、互いに同一の大きさに形成されていることを特徴としている。
【００２５】
この第６の発明では、第１吸着熱交換器（3）と第２吸着熱交換器（5）を互いに同一の大きさに形成した調湿装置において、風量バランスを変更できなくても、流速分布を調整することで吸着熱交換器（3，5）の能力を簡単に変化させて、凝縮温度や蒸発温度を調整できる。
【００２６】
第７の発明は、第１から第６のいずれか１の発明の調湿装置において、流路切換手段（60）が、第１空気通路の流路と第２空気通路の流路を切り換える複数の開閉ダンパ（61〜68）により構成されるとともに、所定の開閉ダンパ（61，62）により流速分布調整手段（70）が構成され、上記開閉ダンパ（61，62）が、吸着熱交換器（3，5）に空気を流す状態で、該ダンパ（61，62）の一部が吸着熱交換器（3，5）を流れる空気の邪魔板となるように構成されていることを特徴としている。
【００２７】
この第７の発明では、第１空気通路の流路と第２空気通路の流路を切り換える複数の開閉ダンパ（61〜68）のうち、一部のものを利用して風速分布を付けることができる。そうすることで、凝縮温度や蒸発温度を調整し、吸着剤における水分の放出量や吸着量を調整することが可能となる。
【００２８】
第８の発明は、第１から第６のいずれか１の発明の調湿装置において、流路切換手段（60）が、第１空気通路の流路と第２空気通路の流路を切り換える複数の開閉ダンパ（61〜68）により構成され、さらに、上記開閉ダンパ（61〜68）を開いて吸着熱交換器（3，5）に空気を流す状態で、吸着熱交換器（3，5）を流れる空気の邪魔板となる流速分布調整ダンパ（71）（72）を備え、該流速分布調整ダンパ（71）（72）により流速分布調整手段（70）が構成されていることを特徴としている。
【００２９】
この第８の発明では、第１空気通路の流路と第２空気通路の流路を切り換える複数の開閉ダンパ（61〜68）とは別に流速分布調整ダンパ（71）（72）を設けているので、この流速分布調整ダンパ（71）（72）を適宜開閉することで、流速分布を付ける状態や付けない状態を選択することが可能となる。
【発明の効果】
【００３０】
上記第１の発明によれば、第１吸着熱交換器（3）及び第２吸着熱交換器（5）を流れる空気の流速分布を、第１動作時と第２動作時で異ならせる流速分布調整手段（70）を設けて、吸着熱交換器（3，5）の能力を変化させることができるようにしているので、凝縮温度や蒸発温度を圧縮機の能力制御範囲を超えて調整することが可能となり、従来よりも潜熱能力の制御範囲を広げられる。
【００３１】
上記第２の発明によれば、第１吸着熱交換器（3）及び第２吸着熱交換器（5）が凝縮器となるときに、両吸着熱交換器（3，5）が蒸発器となるときと比較して、該吸着熱交換器（3，5）の一部で空気の流速が低下するようにしているので、流速の低下した部分において熱交換量を減らし、凝縮器が小さくなったのと同じ作用で凝縮温度を上げることができる。したがって、吸着剤からの水分の放出量を増やすことが可能となり、加湿運転時には加湿性能を高めることができる。また、除湿運転時に再生側の水分放出量を増やすことも可能になるので、除湿性能を高めることもできる。
【００３２】
上記第３の発明によれば、第１吸着熱交換器（3）及び第２吸着熱交換器（5）が蒸発器となるときに、両吸着熱交換器（3，5）が凝縮器となるときと比較して、該吸着熱交換器（3，5）の一部で空気の流速が低下するようにしているので、流速の低下した部分において熱交換量を減らし、蒸発器が小さくなったのと同じ作用で蒸発温度を下げることができる。したがって、吸着剤での水分の吸着量を増やすことが可能となり、除湿運転時には除湿性能を高めることができる。また、加湿運転時に吸着側の水分吸着量を増やすことも可能になるので、加湿性能を高めることもできる。
【００３３】
上記第４の発明によれば、第１吸着熱交換器（3）及び第２吸着熱交換器（5）に対して空気流通方向の上流側に配置された流速分布調整手段（70）により、第１吸着熱交換器（3）及び第２吸着熱交換器（5）を流れる空気の流速分布を、第１動作時と第２動作時で異ならせることができる。したがって、吸着熱交換器（3，5）の能力を変化させることで凝縮温度や蒸発温度を調整し、加湿性能や除湿性能を高められる。
【００３４】
上記第５の発明によれば、第１吸着熱交換器（3）及び第２吸着熱交換器（5）に対して空気流通方向の下流側に配置された流速分布調整手段（70）により、第１吸着熱交換器（3）及び第２吸着熱交換器（5）を流れる空気の流速分布を、第１動作時と第２動作時で異ならせることができる。したがって、吸着熱交換器（3，5）の能力を変化させることで凝縮温度や蒸発温度を調整し、加湿性能や除湿性能を高められる。
【００３５】
上記第６の発明によれば、第１吸着熱交換器（3）と第２吸着熱交換器（5）を互いに同一の大きさに形成した調湿装置において、風量バランスを変更できなくても、流速分布を調整することで吸着熱交換器（3，5）の能力を簡単に変化させて、凝縮温度や蒸発温度を圧縮機の能力制御範囲を超えて調整できる。したがって、第１動作と第２動作を切り換えるバッチ式の運転動作を行いながら、加湿性能や除湿性能を容易に制御できる。
【００３６】
上記第７の発明によれば、流路切換手段（60）を構成する複数の開閉ダンパ（61〜68）の一部を流速分布調整手段（70）として用いているので、調湿装置の構成を複雑にせずに、加湿性能や除湿性能を広範囲で調整することが可能となる。
【００３７】
上記第８の発明によれば、第１空気通路の流路と第２空気通路の流路を切り換える複数の開閉ダンパ（61〜68）とは別に流速分布調整ダンパ（71）（72）を設けているので、必要に応じて流速分布調整ダンパ（71）（72）を開閉することで、流速分布を付ける状態や付けない状態を選択し、潜熱能力を調整することが可能となる。
【発明を実施するための最良の形態】
【００３８】
以下、本発明の実施形態を図面に基づいて詳細に説明する。
【００３９】
《発明の実施形態１》
この調湿装置は、第１空気である室外空気（OA）を室内空間へ供給するとともに、第２空気である室内空気（RA）を室外空間へ排出する、いわゆる換気型の調湿装置である。この調湿装置は、吸着剤が担持された第１吸着熱交換器（3）及び第２吸着熱交換器（5）と、これらの吸着熱交換器（3，5）が接続された冷媒回路（1）とを備えている。
【００４０】
この調湿装置は、減湿された空気を室内空間へ供給する除湿運転と、加湿された空気を室内空間へ供給する加湿運転とを切り換えて行えるように構成されている。また、除湿運転時と加湿運転時のいずれも、第１，第２吸着熱交換器（3，5）の一方を吸着側に、他方を再生側にする状態を切り換えながら、バッチ式の吸着／再生動作を行うように構成されている。
【００４１】
まず、調湿装置に備えられた冷媒回路（1）について、図１及び図２を参照しながら説明する。
【００４２】
図１に示すように、冷媒回路（1）は、圧縮機構である圧縮機（7）と、四路切換弁（8）と、第１吸着熱交換器（3）と、膨張機構である膨張弁（9）と、第２吸着熱交換器（5）とが順に接続されて閉回路となっている。この冷媒回路（1）は、冷媒が充填されており、この冷媒が循環して蒸気圧縮式の冷凍サイクルを行うように構成されている。なお、上記四路切替弁（8）には、冷媒回路（1）の配管が接続可能な第１から第４のポート(8a，8b，8c，8d）が設けられている。
【００４３】
冷媒回路（1）において、圧縮機（7）の吐出口は、四路切替弁（8）の第１ポート（8a）に接続されている。また、四路切替弁（8）の第３ポート（8c）は、第１吸着熱交換器（3）の一端と接続されている。第１吸着熱交換器（3）の他端は、膨張弁（9）を介して第２吸着熱交換器（5）の一端と接続されている。第２吸着熱交換器（5）の他端は、四路切替弁（8）の第４ポート（8d）に接続されている。また、四路切替弁（8）の第２ポート（8b）は、圧縮機（7）の吸引口と接続されている。
【００４４】
四路切換弁（8）は第１ポート（8a）と第３ポート（8c）とが連通すると同時に第２ポート（8b）と第４ポート（8d）とが連通する第１状態（図１(Ａ)に示す状態）と、第１ポート（8a）と第４ポート（8d）とが連通すると同時に第２ポート（8b）と第３ポート（8c）とが連通する第２状態（図１(Ｂ)に示す状態）とに切換可能となっている。そして、四路切換弁（8）が第１状態に切り換わると、第１吸着熱交換器（3）が凝縮器として機能し、第２吸着熱交換器（5）が蒸発器として機能する。一方、四路切換弁（8）が第２状態に切り換わると、第１吸着熱交換器（3）が蒸発器として機能し、第２吸着熱交換器（5）が凝縮器として機能する。
【００４５】
図２に示すように、第１吸着熱交換器（3）及び第２吸着熱交換器（5）は、それぞれクロスフィン式のフィン・アンド・チューブ型熱交換器により構成されている。具体的に、第１，第２吸着熱交換器（3，5）は、長方形板状に形成されたアルミニウム製の多数のフィン（4）と、このフィン（4）を貫通する銅製の伝熱管（6）とを備えている。両吸着熱交換器（3，5）は、互いに同じ大きさに形成されている。
【００４６】
上記各フィン（4）及び伝熱管（6）の外表面には、吸着剤がディップ成形（浸漬成形）により担持されている。この吸着剤としては、ゼオライト、シリカゲル、活性炭、親水性または吸水性を有する有機高分子ポリマー系材料、カルボン酸基またはスルホン酸基を有するイオン交換樹脂系材料、感温性高分子等の機能性高分子材料などが挙げられる。
【００４７】
次に、実施形態１の調湿装置の具体構成について図３を参照しながら詳細に説明する。なお、図３(Ａ)は調湿装置の内部を平面から視た図、図３(Ｂ)は調湿装置の内部を左側から視た図、図３(Ｃ)は調湿装置の内部を右側から視た図、図３(Ｄ)は、図３(Ａ)のＤ−Ｄ断面図である。なお、本実施形態の説明において、「上」「下」「左」「右」「前」「後」「手前」「奥」は、特にことわらない限り、図３に示す調湿装置を正面側（図３(Ａ)の下側）から視た場合の方向性を意味している。
【００４８】
実施形態１の調湿装置は、やや扁平な矩形箱形のケーシング（10）を備えており、ケーシング（10）の内部には、室内空間と室外空間とを連通させる空気通路が形成されている。この空気通路には、第１空気が流れる第１空気通路と、第２空気が流れる第２空気通路とがある。
【００４９】
ケーシング（10）には、最も奥側に後面パネル（10a）が形成され、最も手前側に前面パネル（10b）が形成されている。また、ケーシング（10）には、左側にケーシング第１側板（11）が形成されており、右側にケーシング第２側板（12）が形成されている。さらに、ケーシング（10）には、上側にケーシング天板（10c）が形成され、下側にケーシング底板（10d）が形成されている。
【００５０】
後面パネル（10a）の左側寄りには、室外空間からの室外空気（OA）をダクト（図示せず）を介して取り入れる第１吸込口（15）が形成され、後面パネル（10a）の右側寄りには、室内空間からの室内空気（RA）をダクトを介して取り入れる第２吸込口（16）が形成されている。一方、前面パネル（10b）の右側寄りには、調湿空気（SA）をダクトを介して室内空間へ供給する給気口（17）が形成され、前面パネル（10b）の左側寄りには、排出空気（EA）をダクトを介して室外空間へ排出する排気口（18）が形成されている。
【００５１】
ケーシング（10）の内部は、前後方向において大略的に３つの空間に仕切られている。この３つの空間のうち、ケーシング（10）の前面パネル（10b）寄りに形成された空間は、左右に２つの空間に仕切られている。そして、この２つ空間のうち、右側の空間が給気側通路（31）を構成し、左側の空間が排気側通路（32）を構成している。
【００５２】
給気側通路（31）は、給気口（17）を介して室内空間と連通している。この給気側通路（31）には、給気ファン（21）が設置されている。一方、排気側通路（32）は、排気口（18）を介して室外空間と連通している。この排気側通路（32）には、排気ファン（22）が設置されている。また、給気側通路（31）の左側寄りには、上述した圧縮機（7）が配置されている。
【００５３】
ケーシング（10）の後面パネル（10a）寄りに形成された空間は、吸込側仕切板（19）によって左右２つの空間に仕切られている。この２つの空間のうち、左側の空間が第１吸込通路（33）を構成し、右側の空間が第２吸込通路（34）を構成している。そして、上記第１吸込通路（33）は、第１吸込口（15）を介して室外空間と連通している一方、上記第２吸込通路（34）は、第２吸込口（16）を介して室内空間と連通している。
【００５４】
また、ケーシング（10）の後面パネル（10a）寄りに形成された空間には、上記吸込側仕切板（19）を貫通するとともに上記第１吸込通路（33）と上記第２吸込通路（34）とに跨るようにして配置された吸込側フィルタ（23）が配置されている。この吸込側フィルタ（23）は、第１吸込通路（31）に位置する第１プレフィルタ（23a）と、第２吸込通路（32）に位置する第２プレフィルタ（23b）とが一体的に構成されたものである。そして、上記第１プレフィルタ（23a）が、第１吸込口（15）より吸引された室外空気（OA）中の塵埃を捕集する一方、上記第２プレフィルタ（23b）が、第２吸引口（16）より吸引された室内空気（RA）中の塵埃を捕集する。
【００５５】
ケーシング(17)の前後方向の中央に形成された空間は、左側寄りに位置する第１仕切板（13）及び右側寄りに位置する第２仕切板（14）によって左右に３つの空間に仕切られている。さらに、第１仕切板（13）と第２仕切板（14）との間の空間は、中央仕切板（20）によって、第１空気調和室（第１通路）（41）と第２空気調和室（第２通路）（42）とに仕切られている。
【００５６】
第１空気調和室（41）は、中央仕切板（20）の後側に形成されており、上述した第１吸着熱交換器（3）が配置されている。第１吸着熱交換器（3）は、図３(Ｄ)に示すように、第１空気調和室（41）の上下方向における中央部に配置されている。そして、第１空気調和室（41）を上部の空間と下部の空間とに仕切っている。また、第１吸着熱交換器（3）は、扁平な直方体形状に形成されており、第１空気調和室（41）における上面及び下面の面積が他の面の面積よりも大きくなる形状をしている。
【００５７】
第２空気調和室（42）は、中央仕切板（20）の前側に形成されており、上述した第２吸着熱交換器（5）が配置されている。第２吸着熱交換器（5）は、第１吸着熱交換器（3）と同様に、第２空気調和室（42）の上下方向における中央部に配置されている。そして、第２空気調和室（42）を上部の空間と下部の空間とに仕切っている。また、第２吸着熱交換器（5）も、扁平な直方体形状に形成されており、第２空気調和室（42）における上面及び下面の面積が他の面の面積よりも大きくなる形状をしている。
【００５８】
ケーシング第１側板（11）と第１仕切板（13）との間の空間は、上下に仕切られている。そして、この空間は、上側の空間が左側上部通路（第３通路）（43）を構成し、下側の空間が左側下部通路（第４通路）（44）を構成している。左側上部通路（43）は、上記第１吸込通路（33）と連通している一方、上記排気側通路（32）から仕切られている。左側下部通路（44）は、上記排気側通路（32）と連通している一方、上記第１吸込通路（33）から仕切られている。
【００５９】
ケーシング第２側板（12）と第２仕切板（14）との間の空間は、上下に仕切られている。そして、この空間は、上側の空間が右側上部通路（第５通路）（45）を構成し、下側の空間が右側下部通路（第６通路）（46）を構成している。右側上部通路（45）は、上記第２吸込通路（34）と連通している一方、上記給気側通路（31）から仕切られている。右側下部通路（46）は、上記給気側通路（31）と連通している一方、第２吸込側通路（34)から仕切られている。
【００６０】
また、第１仕切板（13）には、第１左上開口（第１開口）（51）、第２左上開口（第２開口）（52）、第１左下開口（第３開口）（53）、及び第２左下開口（第４開口）（54）が形成されている。第１左上開口（51）は、第１仕切板（13）における奥側の上部に形成され、第２左上開口（52）は、第１仕切板（13）における手前側の上部に形成されている。また、第１左下開口（53）は、第１仕切板（13）における奥側の下部に形成され、第２左下開口（54）は、第１仕切板(13)における手前側の下部に形成されている。
【００６１】
第１から第４までの開口（51〜54）には、それぞれ開閉ダンパ（61〜64）が設けられている。各開口（51〜54）の開閉ダンパ（61〜64）は、それぞれ独立して開の状態と閉の状態とに切換可能となっている。そして、第１左上開口（51）が開の状態となると、左側上部通路（43）と第１空気調和室（41）の上部空間とが連通する。また、第２左上開口（52）が開の状態となると、左側上部通路（43）と第２空気調和室（42）の上部空間とが連通する。さらに、第１左下開口（53）が開の状態となると、左側下部通路（44）と第１空気調和室（41）の下部空間とが連通する。また、第２左下開口（54）が開の状態となると、左側下部通路（44）と第２空気調和室（42）の下部空間とが連通する。
【００６２】
一方、第２仕切板（14）には、第１右上開口（第５開口）（55）、第２右上開口（第６開口）（56）、第１右下開口（第７開口）（57）、及び第２右下開口（第８開口）（58）が形成されている。第１右上開口（55）は、第２仕切板（14）における奥側の上部に形成され、第２右上開口（56）は、第２仕切板（14）における手前側の上部に形成されている。また、第１右下開口（57）は、第２仕切板（14）における奥側の下部に形成され、第２右下開口（58）は、第２仕切板（14）における手前側の下部に形成されている。
【００６３】
第５から第８までの開口（55〜58）には、それぞれ開閉ダンパ（65〜68）が設けられている。各開口（55〜58）の開閉ダンパ（65〜68）は、それぞれ独立して開の状態と閉の状態とに切換可能となっている。そして、第１右上開口（55）が開の状態となると、右側上部通路（45）と第１空気調和室（41）の上部空間とが連通する。また、第２右上開口（56）が開の状態となると、右側上部通路（45）と第２空気調和室（42）の上部空間とが連通する。さらに、第１右下開口（57）が開の状態となると、右側下部通路（46）と第１空気調和室（41）の下部空間とが連通する。また、第２右下開口（58）が開の状態となると、右側下部通路（46）と第２空気調和室（42）の下部空間とが連通する。
【００６４】
上記開閉ダンパ（61〜68）は、各開口（51〜58）の上下の中心に設けられた軸を中心として回転することにより開閉する。ここで、第１仕切板（13）と第１，第２吸着熱交換器（3，5）の左側の端面との間隔は、第２仕切板（14）と第１，第２吸着熱交換器（3，5）の右側の端面との間隔よりも狭く、第１仕切板（13）側において上側の開閉ダンパ（61，62）を開いた状態にすると、仮想線で示すように、各開閉ダンパ（61，62）の端部が各吸着熱交換器（3，5）の一部を覆うように構成されている。
【００６５】
この調湿装置は、上記各ダンパ（61〜68）の開閉状態を切り換えることにより、第１空気である室外空気（OA）が流れる第１空気通路と、第２空気である室内空気（RA）が流れる第２空気通路とにおいて、それぞれの流路が切り換わる。そして、上記各ダンパ（61〜68）は、室外空気（OA）が第１吸着熱交換器（3）を流れるとともに室内空気（RA）が第２吸着熱交換器（5）を流れる第１動作と、室外空気が第２吸着熱交換器（5）を流れるとともに室内空気（RA）が第１吸着熱交換器（3）を流れる第２動作とを、両空気通路を切り換えて行う流路切換手段（60）を構成している。なお、第１運転時は、第１吸着熱交換器（3）を通過した室外空気（OA）が室内に供給され、第２吸着熱交換器（5）を通過した室内空気（RA）が室外へ排出される。第２運転時は、第２吸着熱交換器（5）を通過した室外空気（OA）が室内に供給され、第１吸着熱交換器（3）を通過した室内空気（RA）が室外へ排出される。また、第１動作と第２動作を切り換えるときには、同時に冷媒回路（1）内の冷媒の循環方向も切り換えられる。
【００６６】
また、第１仕切板（13）の上側の２枚のダンパ（61，62）は、上述したように各吸着熱交換器（3，5）の一部を覆うように構成されている。このため、詳細は後述するが、第１動作時と第２動作時とで、各吸着熱交換器（3，5）を流れる空気の流速分布が変化する。つまり、第１開口（51）の開閉ダンパ（61）と第２開口（52）の開閉ダンパ（62）は、第１吸着熱交換器（3）及び第２吸着熱交換器（5）を流れる空気の流速分布を、第１動作時と第２動作時で異ならせる流速分布調整手段（70）にもなっている。
【００６７】
−運転動作−
次に、実施形態１に係る調湿装置の運転動作について説明する。この調湿装置は、冷媒回路（1）内の冷媒の循環方向を切り換えるとともに、第１動作と第２動作とを交互に切り換えて、除湿運転、又は加湿運転を継続的に行う。
【００６８】
《除湿運転》
除湿運転時には、第１動作において、冷媒回路（1）が第２状態（図１(Ｂ)の状態）となり、第１吸着熱交換器（3）が蒸発器として機能する一方、第２吸着熱交換器（5）が凝縮器として機能する。また、第２動作において、冷媒回路（1）が第１状態（図１(Ａ)の状態）となり、第１吸着熱交換器（3）が凝縮器として機能する一方、第２吸着熱交換器（5）が蒸発器として機能する。
【００６９】
図４に示すように、給気ファン（21）及び排気ファン（22）が起動すると、室外空気（OA）が第１吸込口（15）よりケーシング（10）内に取り込まれ、第１吸込通路（33）に流入する一方、室内空気（RA）が第２吸込口（16）よりケーシング（10）内に取り込まれ、第２吸込通路（34）に流入する。
【００７０】
第１吸込通路（33）に流入した室外空気（OA）は、第１プレフィルタ（23a）を通過する。ここで、室外空気（OA）中の比較的大きな塵埃が捕集される。その後、室外空気（OA）は、左側上部通路（43）に流入する。一方、第２吸込通路（34）に流入した室内空気（RA）は、第２プレフィルタ（23b）を通過する。ここで、室内空気（RA）中の塵埃が捕集される。その後、室内空気（RA）は、右側上部通路（45）に流入する。
【００７１】
以降、除湿運転時の第１動作について、図４及び図５を参照しながら説明する。なお、図５(Ａ)は、第１，第２空気調和室（41，42）の内部を左側から視た断面図であり、図５(Ｂ)は、図５(Ａ)のＢ−Ｂ断面図、図５(Ｃ)は、図５(Ａ)のＣ−Ｃ断面図である。
【００７２】
除湿運転の第１動作では、第１左上開口（51）、第２左下開口（54）、第２右上開口（56）、及び第１右下開口（57）の開閉ダンパ（61，64，66，67）が開の状態となり、第２左上開口（52）、第１左下開口（53）、第１右上開口（55）、及び第２右下開口（58）の開閉ダンパ（62，63，65，68）が閉の状態となる。
【００７３】
したがって、左側上部通路（43）を流通する室外空気（OA）は、第１左上開口（51）より第１空気調和室（41）の上部空間に流入する。この空気は、第１吸着熱交換器（3）を下向きに通過し、第１空気調和室（41）の下部空間に流入する。ここで、蒸発器として機能する第１吸着熱交換器（3）の吸着剤によって空気中の水分が吸着される。なお、この際生じる吸着熱は、第１吸着熱交換器（3）内の冷媒の蒸発熱として利用される。
【００７４】
以上のように第１吸着熱交換器（3）で減湿された空気は、第１右下開口（57）より右側下部通路（46）へ流入する。そして、この空気は、給気側通路（31）を流通した後、給気口（17）より調湿空気（SA）として室内空間へ供給される。
【００７５】
一方、右側上部通路（45）を流通する室内空気（RA）は、第２右上開口（56）より第２空気調和室（42）の上部空間に流入する。この空気は、第２吸着熱交換器（5）を下向きに通過し、第２空気調和室（42）の下部空間に流入する。ここで、凝縮器として機能する第２吸着熱交換器（5）の吸着剤が加熱され、吸着剤に吸着された水分が脱着されると、この水分が空気に付与されるとともに第２吸着熱交換器（5）の吸着剤が再生される。
【００７６】
以上のように第２吸着熱交換器（5）の吸着剤の再生に利用された空気は、第２左下開口（54）より左側下部通路（44）へ流入する。そして、この空気は、排気側通路（32）を流通した後、排気口（18）より排出空気（EA）として室外空間へ排出される。
【００７７】
次に、除湿運転時の第２動作について、図６及び図７を参照しながら説明する。なお、図７(Ａ)は、第１，第２空気調和室（41，42）の内部を左側から視た断面図であり、図７(Ｂ)は、図７(Ａ)のＢ−Ｂ断面図、図７(Ｃ)は、図７(Ａ)のＣ−Ｃ断面図である。
【００７８】
除湿運転の第２動作では、第２左上開口（52）、第１左下開口（53）、第１右上開口（55）、及び第２右下開口（58）の開閉ダンパ（62，63，65，68）が開の状態となり、第１左上開口（51）、第２左下開口（54）、第２右上開口（56）、及び第１右下開口（57）の開閉ダンパ（61，64，66，67）が閉の状態となる。
【００７９】
したがって、左側上部通路（43）を流通する室外空気（OA）は、第２左上開口（52）より第２空気調和室（42）の上部空間に流入する。この空気は、第２吸着熱交換器（5）を下向きに通過し、第２空気調和室（42）の下部空間に流入する。ここで、蒸発器として機能する第２吸着熱交換器（5）の吸着剤によって空気中の水分が吸着される。なお、この際生じる吸着熱は、第２吸着熱交換器（5）内の冷媒の蒸発熱として利用される。
【００８０】
以上のように第２吸着熱交換器（5）で減湿された空気は、第２右下開口（58）より右側下部通路（46）へ流入する。そして、この空気は、給気側通路（31）を流通した後、給気口（17）より調湿空気（SA）として室内空間へ供給される。
【００８１】
一方、右側上部通路（45）を流通する室内空気（RA）は、第１右上開口（55）より第１空気調和室（41）の上部空間に流入する。この空気は、第１吸着熱交換器（3）を下向きに通過し、第１空気調和室（41）の下部空間に流入する。ここで、凝縮器として機能する第１吸着熱交換器（3）の吸着剤が加熱され、吸着剤に吸着された水分が脱着されると、この水分が空気に付与されるとともに第１吸着熱交換器（1）の吸着剤が再生される。
【００８２】
以上のように第１吸着熱交換器（3）の吸着剤の再生に利用された空気は、第１左下開口（53）より左側下部通路（44）へ流入する。そして、この空気は、排気側通路（32）を流通した後、排気口（18）より排出空気（EA）として室外空間へ排出される。
【００８３】
以上の第１，第２動作を行う際、第１仕切板（13）に設けられている上側の２枚の開閉ダンパ（61，62）は、各開口（51，52）を開いた状態にしたときに、一部が第１，第２吸着熱交換器（3，5）を覆うようになっている（図５（Ｂ）、図７（Ｃ）参照）。このため、第１動作時及び第２動作時のいずれの場合も、蒸発器となる吸着熱交換器（3，5）の一部（開閉ダンパ（61，62）が空気流れに対する邪魔板になっている箇所）において空気の流速が低下する。その結果、開閉ダンパ（61，62）で遮られた部分の熱交換量が減って、蒸発器が小さくなったのと同じ作用が生じ、冷凍サイクルの動作が低圧側へシフトして蒸発温度が低下する。ただし、開閉ダンパ（61，62）で覆われた部分においても、隙間から空気は流れるため、吸着剤への水分の吸着は行われる。そして、以上のことにより、吸着性能が向上する。
【００８４】
一方、図５（Ｃ）、図７（Ｂ）に示すように、凝縮器となる吸着熱交換器（5，3）では、第２仕切板（14）に設けられている開閉ダンパ（65〜68）が、各開口（55〜58）を開いた状態にしたときでも、吸着熱交換器（5，3）の空気の流れに対する邪魔板にはならないため、該吸着熱交換器（5，3）の全体で流速分布が均一となる。
【００８５】
《加湿運転》
加湿運転時には、第１動作において、冷媒回路（1）が第１状態（図１(Ａ)の状態）となり、第１吸着熱交換器（3）が凝縮器として機能する一方、第２吸着熱交換器（5）が蒸発器として機能する。また、第２動作において、冷媒回路（1）が第２状態（図１(Ｂ)の状態）となり、第１吸着熱交換器（3）が蒸発器として機能する一方、第２吸着熱交換器（5）が凝縮器として機能する。
【００８６】
図４に示すように、給気ファン（21）及び排気ファン（22）が起動すると、室外空気（OA）が第１吸込口（15）よりケーシング（10）内に取り込まれ、第１吸込通路（33）に流入する一方、室内空気（RA）が第２吸込口（16）よりケーシング（10）内に取り込まれ、第２吸込通路（34）に流入する。
【００８７】
第１吸込通路（33）に流入した室外空気（OA）は、第１プレフィルタ（23a）を通過する。ここで、室外空気（OA）中の比較的大きな塵埃が捕集される。その後、室外空気（OA）は、左側上部通路（43）に流入する。一方、第２吸込通路（34）に流入した室内空気（RA）は、第２プレフィルタ（23b）を通過する。ここで、室内空気（RA）中の塵埃が捕集される。その後、室内空気（RA）は、右側上部通路（45）に流入する。
【００８８】
以降、加湿運転時の第１動作について、図４及び図５を参照しながら説明する。加湿運転の第１動作では、第１左上開口（51）、第２左下開口（54）、第２右上開口（56）、及び第１右下開口（57）の開閉ダンパ（61，64，66，67）が開の状態となり、第２左上開口（52）、第１左下開口（53）、第１右上開口（55）、及び第２右下開口（58）の開閉ダンパ（62，63，65，68）が閉の状態となる。
【００８９】
したがって、左側上部通路（43）を流通する室外空気（OA）は、第１左上開口（51）より第１空気調和室（41）の上部空間に流入する。この空気は、第１吸着熱交換器（3）を下向きに通過し、第１空気調和室（41）の下部空間に流入する。ここで、凝縮器として機能する第１吸着熱交換器（3）の吸着剤が加熱され、吸着剤に吸着された水分が脱着されると、この水分が空気に付与される。
【００９０】
以上のように第１吸着熱交換器（3）で加湿された空気は、第１右下開口（57）より右側下部通路（46）へ流入する。そして、この空気は、給気側通路（31）を流通した後、給気口（17）より調湿空気（SA）として室内空間へ供給される。
【００９１】
一方、右側上部通路（45）を流通する室内空気（RA）は、第２右上開口（56）より第２空気調和室（42）の上部空間に流入する。この空気は、第２吸着熱交換器（5）を下向きに通過し、第２空気調和室（42）の下部空間に流入する。ここで、蒸発器として機能する第２吸着熱交換器（5）の吸着剤によって空気中の水分が吸着される。なお、この際生じる吸着熱は、第２吸着熱交換器（5）内の冷媒の蒸発熱として利用される。
【００９２】
以上のように第２吸着熱交換器（5）の吸着剤に水分を付与した空気は、第２左下開口（54）より左側下部通路（44）へ流入する。そして、この空気は、排気側通路（32）を流通した後、排気口（18）より排出空気（EA）として室外空間へ排出される。
【００９３】
次に、加湿運転時の第２動作について、図６及び図７を参照しながら説明する。加湿運転の第２動作では、第２左上開口（52）、第１左下開口（53）、第１右上開口（55）、及び第２右下開口（58）の開閉ダンパ（62，63，65，68）が開の状態となり、第１左上開口（51）、第２左下開口（54）、第２右上開口（56）、及び第１右下開口（57）の開閉ダンパ（61，64，66，67）が閉の状態となる。
【００９４】
したがって、左側上部通路（43）を流通する室外空気（OA）は、第２左上開口（52）より第２空気調和室（42）の上部空間に流入する。この空気は、第２吸着熱交換器（5）を下向きに通過し、第２空気調和室（42）の下部空間に流入する。ここで、凝縮器として機能する第２吸着熱交換器（5）の吸着剤が加熱され、吸着剤に吸着された水分が脱着されると、この水分が空気に付与される。
【００９５】
以上のように第２吸着熱交換器（5）で加湿された空気は、第２右下開口（58）より右側下部通路（46）へ流入する。そして、この空気は、給気側通路（31）を流通した後、給気口（17）より調湿空気（SA）として室内空間へ供給される。
【００９６】
一方、右側上部通路（45）を流通する室内空気（RA）は、第１右上開口（55）より第１空気調和室（41）の上部空間に流入する。この空気は、第１吸着熱交換器（3）を下向きに通過し、第１空気調和室（41）の下部空間に流入する。ここで、蒸発器として機能する第１吸着熱交換器（3）の吸着剤によって空気中の水分が吸着される。なお、この際生じる吸着熱は、第１吸着熱交換器（3）内の冷媒の蒸発熱として利用される。
【００９７】
以上のように第１吸着熱交換器（3）の吸着剤に水分を付与した空気は、第１左下開口（53）より左側下部通路（44）へ流入する。そして、この空気は、排気側通路（32）を流通した後、排気口（18）より排出空気（EA）として室外空間へ排出される。
【００９８】
以上の第１，第２動作を行う際、第１仕切板（13）に設けられている上側の２枚の開閉ダンパ（61，62）は、各開口（51，52）を開いた状態にしたときに、一部が第１，第２吸着熱交換器（3，5）を覆うようになっている（図５（Ｂ）、図７（Ｃ）参照）。このため、第１動作時及び第２動作時のいずれの場合も、凝縮器となる吸着熱交換器（3，5）の一部（開閉ダンパ（61，62）が空気流れに対する邪魔板になっている箇所）において空気の流速が低下する。その結果、開閉ダンパ（61，62）で遮られた部分の熱交換量が減って、縮器が小さくなったのと同じ作用が生じ、冷凍サイクルの動作が高圧側へシフトして凝縮温度が上昇する。ただし、開閉ダンパ（61，62）で覆われた部分においても、隙間から空気は流れるため、吸着剤の再生は行われる。そして、以上のことにより、再生（加湿）性能が向上する。
【００９９】
一方、図５（Ｃ）、図７（Ｂ）に示すように、蒸発器となる吸着熱交換器（5，3）では、第２仕切板（14）に設けられている４枚の開閉ダンパ（65〜68）が、各開口（55〜58）を開いた状態にしたときでも、吸着熱交換器（5，3）の空気の流れに対する邪魔板にはならないため、該吸着熱交換器（5，3）の全体で流速分布が均一となる。
【０１００】
ここで、吸着剤にゼオライトを用いた場合に、加湿運転に関して、蒸発器側に風速分布を付けた場合と凝縮器側に風速分布を付けた場合の効果の違いについて説明する。
【０１０１】
図８は、ゼオライトの吸着等温線を表し、横軸が相対湿度、縦軸が含水率である。この図に示すように、ゼオライトは相対湿度が低いときは吸着等温線の傾きが大きく、相対湿度が高くなると傾きが小さくなっている。
【０１０２】
冬期に定格運転で加湿を行う場合、吸着側（蒸発器側）で風速分布を生じさせて、吸着時の空気温度を例えば２０℃から５℃低下させて１５℃に変化させると、相対湿度は４０％から５５％に上昇する。逆に再生側（凝縮器側）で空気温度を４５℃から５℃上昇させて５０℃に変化させると、相対湿度は９．１％から７．０％に低下する。
【０１０３】
この相対湿度の変化から含水率の変化を読みとると、吸着側では含水率は０．４ｗｔ％増加するのに対して、再生側では吸着等温線の傾きが大きいために０．６ｗｔ％増加する。したがって、この場合には、吸着側（蒸発器側）に風速分布を付けるよりも、再生側（凝縮器側）に風速分布を付けた方が、潜熱性能（加湿量）の向上を望めることが分かる。
【０１０４】
ただし、吸着側（蒸発器側）に風速分布を付けた場合でも、付けない場合よりは潜熱性能（加湿量）は向上する。つまり、図において、吸着再生温度を変化させない場合の含水率差を（ａ）とすると、凝縮器側で風速分布を付けて凝縮温度を上昇させた場合の含水率差が（ｂ）となり、蒸発器側で風速分布を付けて蒸発温度を低下させた場合の含水率差が（ｃ）となって、（ｂ）と（ｃ）のいずれも（ａ）より大きくなる。
【０１０５】
−実施形態１の効果−
以上説明したように、この実施形態では、第１空気通路の流路と第２空気通路の流路を切り換える流路切換手段（60）である複数の開閉ダンパ（61〜68）を、流速分布調整手段（70）として利用し、上記開閉ダンパ（61〜68）のうち所定のものを開いて吸着熱交換器（3，5）に空気を流す状態で、２枚の開閉ダンパ（61，62）の一部が吸着熱交換器（3，5）を流れる空気の邪魔板となるようにしている。
【０１０６】
そして、除湿運転時には、蒸発器となる吸着熱交換器（3，5）の一部における流速を低下させることで、第１吸着熱交換器（3）及び第２吸着熱交換器（5）を流れる空気の流速分布を、第１動作時と第２動作時で異ならせるようにして、蒸発温度を低下させるようにしている。したがって、空気の除湿性能を高めることが可能となる。
【０１０７】
また、加湿運転時には凝縮器となる吸着熱交換器（3，5）の一部における流速を低下させることで、第１吸着熱交換器（3）及び第２吸着熱交換器（5）を流れる空気の流速分布を、第１動作時と第２動作時で異ならせるようにして、凝縮温度を上昇させるようにしている。したがって、空気の加湿性能を高めることが可能となる。
【０１０８】
また、この実施形態１では、流路切換手段（60）である上記開閉ダンパ（61〜68）のうちの２枚（61，62）を、流速分布調整手段（70）として用いているため、専用の流速分布調整手段は不要である。このため、構成や制御が複雑になるのを防止できる。
【０１０９】
《発明の実施形態２》
本発明の実施形態２は、上記開閉ダンパ（61〜68）とは別に、専用の流速分布調整手段（70）を設けるようにした例である。
【０１１０】
図９に示すように、この実施形態２では、開閉ダンパ（61〜68）は、それぞれが２枚の開閉板からなり、開いた状態において、開閉ダンパ（61〜68）の端部が各吸着熱交換器（3，5）の一部を覆うようには構成されていない。一方、吸着熱交換器（3，5）の右側端部の上方には、上記開閉ダンパ（61〜68）を開いた状態で、吸着熱交換器を流れる空気の邪魔板となる流速分布調整ダンパ（71）が流速分布調整手段（70）として設けられている。この流速分布調整ダンパ（71）は、図に実線で示す縦位置にしたときに吸着熱交換器（3，5）に流速分布を付ける一方、図に破線で示す横位置にしたときには吸着熱交換器（3，5）に流速分布を付けない状態となる。
【０１１１】
したがって、実施形態１と同様に、除湿運転時には蒸発器となる吸着熱交換器（3，5）に流速分布を付け、加湿運転時には凝縮器となる吸着熱交換器（3，5）に流速分布を付けることで、除湿性能及び加湿性能を高めることができる。また、この実施形態では、必要なければ流速分布調整ダンパ（71）開いておいて、流速分布を均一にする運転も可能である。
【０１１２】
−実施形態２の変形例−
図１０は、流速分布調整手段（70）の変形例を示す図である。この図では、流速分布調整手段（70）として、開閉面が回転軸からオフセットした流速分布調整ダンパ（72）が設けられている。したがって、この流速分布調整ダンパ（72）を開いたときには、仮想線で示すように開閉面がケーシング（10）の内面に沿った状態となるので、図９の例と比較して、流速分布調整ダンパ（72）を開いたときに該ダンパ（72）が空気の抵抗になるのを確実に防止できる。
【０１１３】
《その他の実施形態》
本発明は、上記実施形態について、以下のような構成としてもよい。
【０１１４】
例えば、上記各実施形態では、吸着熱交換器（3，5）に対して空気流通方向の上流側に流速分布調整手段（70）を設けた例について説明したが、流速分布調整手段（70）は吸着熱交換器（3，5）に対して空気流通方向の下流側に設けてもよい。その場合でも、吸着熱交換器（3，5）の一部で流速が低下するので、上記各実施形態と同様の作用効果を奏することができる。
【０１１５】
また、上記実施形態で説明した調湿装置の装置構成は単なる一例であり、ケーシング（10）の構造や内部機器の配置などは適宜変更してもよい。例えば、上記実施形態では吸込側フィルタ（23）を設けるようにしているが、この吸込側フィルタ（23）は必ずしも設けなくてもよい。また、上記実施形態ではケーシング（10）の後面パネル（10a）に第１吸込口（15）と第２吸込口（16）を形成し、前面パネル（10b）に給気口（17）と排気口（18）を形成しているが、例えばケーシング第１側板（11）に第１吸込口（15）と排気口（18）を形成するとともに、ケーシング第２側板（12）に第２吸込口（16）と給気口（17）を形成して、それに合わせてケーシング（10）の内部構造を変更してもよい。
【産業上の利用可能性】
【０１１６】
以上説明したように、本発明は、表面に吸着剤が塗布された吸着熱交換器を用いて空気の調湿を行う調湿装置について有用である。
【図面の簡単な説明】
【０１１７】
【図１】実施形態１に係る調湿装置の冷媒回路の構成を示す回路図であり、（Ａ）は第１状態、（Ｂ）は第２状態を示している。
【図２】実施形態１に係る調湿装置の吸着熱交換器の概略構成図である。
【図３】実施形態１に係る調湿装置の概略構成図であり、（Ａ）は平面から見た構成図図、（Ｂ）は左側面から見た構成図、（Ｃ）は右側面から見た構成図、（Ｄ）は正面から見た構成図である。
【図４】実施形態１に係る調湿装置の第１動作時における空気の流れを示す説明図であり、（Ａ）は平面から見た空気流れ図、（Ｂ）は左側面から見た空気流れ図、（Ｃ）は右側面から見た空気流れ図である。
【図５】実施形態１に係る調湿装置の第１動作時における空気調和室内の空気の流れを示す説明図であり、（Ａ）は図４（Ａ）の中央縦断面における空気流れ図、（Ｂ）は図５（Ａ）のＢ−Ｂ断面における空気流れ図、（Ｃ）は図５（Ａ）のＣ−Ｃ断面における空気流れ図である。
【図６】実施形態１に係る調湿装置の第２動作時における空気の流れを示す説明図であり、（Ａ）は平面から見た空気流れ図、（Ｂ）は左側面から見た空気流れ図、（Ｃ）は右側面から見た空気流れ図である。
【図７】実施形態１に係る調湿装置の第２動作時における空気調和室内の空気の流れを示す説明図であり、（Ａ）は図６（Ａ）の中央縦断面における空気流れ図、（Ｂ）は図７（Ａ）のＢ−Ｂ断面における空気流れ図、（Ｃ）は図７（Ａ）のＣ−Ｃ断面における空気流れ図である。
【図８】ゼオライトの吸着等温線である。
【図９】実施形態２に係る調湿装置の要部断面図である。
【図１０】実施形態２の変形例に係る調湿装置の要部断面図である。
【符号の説明】
【０１１８】
（1）     冷媒回路
（3）     第１吸着熱交換器
（5）     第２吸着熱交換器
（60）    流路切換手段
（61〜68）開閉ダンパ
（70）    流速分布調整手段
（71）    流速分布調整ダンパ
（72）    流速分布調整ダンパ
【図１】
2005283079.tif 000003
【図２】
2005283079.tif 000004
【図３】
2005283079.tif 000005
【図４】
2005283079.tif 000006
【図５】
2005283079.tif 000007
【図６】
2005283079.tif 000008
【図７】
2005283079.tif 000009
【図８】
2005283079.tif 000010
【図９】
2005283079.tif 000011
【図１０】
2005283079.tif 000012